(57)【特許請求の範囲】
【請求項１】
回転椅子（１）の座席（２）の周縁の一箇所から前方上方へ立設した支持棒（１１）の上方に軸（５）を保持するフレーム（１６）を取り付け、この軸（５）に外側に回転させるハンドル（３）を備えたハンドル付きリール（６）を回転自在にして設け、上記支持棒（１１）又は上記フレーム（１６）から前方へ延設した固定棒（８）の先端にロープ（１９）を通すロープガイド（７）を取り付け、さらに上記支持棒（１１）又は座席（２）から前方斜め下方に延設した棒（２０）の先端に略水平の足置き（４）を配設したことを特徴とするグランド整備補助具。
【請求項２】
上記フレーム（１６）の一箇所にブレーキ用支持軸（９）を取り付け上記ハンドル付きリール（６）の軸（１５、２５）側面板（１２）又は側面板（１２）の外周に押し付けて摩擦するブレーキ（１８）を配設したことを特徴とする請求項１記載のグランド整備補助具。
【請求項３】
回転椅子（１）の座席（２）の周縁の一箇所から前方上方へ立設した支持棒（１１）の上方に水平なテーブル（１３）を設け、そのテーブル（１３）上にモーター（３１）の回転軸にリール（２９）を取り付けたモーター付きリール（１０）と電源である電池（１４）を乗せ、必要に応じて上記モーター付きリール（１０）及び電池（１４）を覆うケース（２１）をテーブル（１３）上に被せ、このケース（２１）にロープ（１９）を通すロープガイド（７）を取り付けるか又はテーブル（１３）から前方へ延設した固定棒（８）の先端にロープ（１９）を通すロープガイド（７）を取り付け、さらに上記支持棒（１１）又は座席（２）から前方斜め下方に延設した棒（２０）の先端に略水平の足置き（４）を配設したことを特徴とするグランド整備補助具。
【請求項４】
土台（２２）の上面に立設した支柱（２３）の上方先端部に固定軸（２４）を立設させ、この固定軸（２４）に水平なテーブル（１３）を回転自在に軸支させ、このテーブル（１３）上にモーター（３１）の回転軸にリール（２９）を取り付けたモーター付きリール（１０）と電源である電池（１４）を乗せ、必要に応じて上記モーター付きリール（１０）及び電池（１４）を覆うケース（２１）をテーブル（１３）上に被せ、このケース（２１）にロープ（１９）を通すロープガイド（７）を取り付けるか又はテーブル（１３）から前方へ延設した固定棒（８）の先端にロープ（１９）を通すロープガイド（７）を配設したことを特徴とする電動式グランド整備補助具。
【請求項５】
上記テーブル（１３）上にモーター（２６）を取り付け、このモーター（２６）の軸に取り付けた円形伝動部品（２７）と上記固定軸（２４）に取り付けた円形伝動部品（２７）の間を伝動部品（２８）でつないでテーブル（１３）を回転させるようにして配設したことを特徴とする請求項４記載の電動式グランド整備補助具。
【発明の詳細な説明】
【技術分野】
【０００１】
本発明は、グランド、テニスコート、野球場などの地面を平坦に整備する方法に関するものである。
【背景技術】
【０００２】
従来、野球場、広いグランド、テニスコート等の地面を整備する方法としては、木製、鉄製、アルミ製などのグランドレーキ（砂ならし）やコートブラシなどで、擦らして引っ張りながら均す方法やその整備具で地面上を前後動させて削って均す方法や自動車の後にレーキやブラシを取り付けて走り回ってグランド整備をしている。これは荒れた地面を均し盛り上がった土を窪んだ場所に移し平坦にする作業である。地面は乾燥した硬い状態や雨の後の軟らかい状態など自然の天候によって影響され様々な状態になる。面積も広く丁寧にしなければならないので、以外と時間を要する作業であり、競技はこれらの整備作業後に行われる。それらの整備作業は複数の人によって不規則に人の勘に頼って部分的に行われている。また自動車による整備作業も運転手の勘に頼った走らせ方をしている。出願人は先に特願２００３−２９３４６９号では、前方に細長い方形の掬い板に平板を階段状に取り付け掬い具を設け、後方にローラー取り付け網を利用して小石、ゴミを取り除くグランド濾し具と特願２００３−４０２４８１号では、長方形の天板の下面に人工芝を取り付けたグランド整備具を提案している。
【０００３】
【特許文献１】特願２００３−２９３４６９号特願２００３−４０２４８１号
【発明の開示】
【発明が解決しようとする課題】
【０００４】
グランドを良い状態に保つためには日常的に地面の整備作業をする必要がある。それはグランドの広範囲にわたる地面は雨や風によって土は徐々に流され移動して行くので、日常的に元に戻せるような整備方法があれば良いと思われる。野球やソフトボールの内野の地面全体を整備する場合にピッチャーマウンドを中心にしてファールラインの外側の土を内野側へ移動させながら整備をすることが出来れば、平均的な平坦な地面を造ることが出来る。またバイク、自動車を利用して整備をする場所の中心地点から、人の目線で回りを連続して見渡しながら整備をすることが出来れば水平状態の判断がし易いので、簡単により精度のある平坦な地面に整備することが出来る。
【０００５】
本発明は、上述の点に鑑みて人が整備具を引っ張るか或いは自転車、バイク、自動車に取り付けた整備具でグランド整備をする場合に、整備をする場所の中心地点から人の目線で整備具の動きと地面の状態を同時に見ながら水平状態の判断をして、簡単に平坦な地面に整備することを課題としたものである。
【課題を解決するための手段】
【０００６】
そこで、本発明の請求項１記載のグランド整備補助具（以下、本発明１と言う）は、回転椅子１の座席２の周縁の一箇所から前方上方へ立設した支持棒１１の上方に軸５を保持するフレーム１６を取り付け、この軸５に外側に回転させるハンドル３を備えたハンドル付きリール６を回転自在にして設け、上記支持棒１１又は上記フレーム１６から前方へ延設した固定棒８の先端にロープ１９を通すロープガイド７を取り付け、さらに上記支持棒１１又は座席２から前方斜め下方に延設した棒２０の先端に略水平の足置き４を配設したことを特徴としている。
【０００７】
本発明１のハンドル付きリール６の取り付け法として、図１では支持棒１１の上方に設けたフレーム１６に軸５の一方を固定させて取り付けてあることを示している。図２ではハンドル付きリール６に取り付けた軸１５を一方側に突き出してこの軸１５を両フレーム１６、１６に設けた軸受け２２、２２に回転自在に軸支していることを示している。さらに図３ではハンドル付きリール６に両側面板１２、１２から外側に突き出した軸２５を取り付け、支持棒１１の先端部をコ字状にして設けたフレーム１６、１６に軸２５を回転自在に軸支させ、この軸２５の一方側にＬ字形のハンドル１７を取り付ける方法があることを示している。上記図１〜３は支持棒１１とフレーム１６を別のものとして示しているが、支持棒１１とフレーム１６を一体化したものでも良い。必要に応じてハンドル付きリール６を覆うケースを被せ、このケースにロープ１９を通すロープガイド７を取り付けることも出来る。
【０００８】
かかる構成により、図１に示すように本発明１の回転椅子１の座席２に人が座って足置き４に足を乗せ、ロープガイド７で支持されているロープ１９をピンと張った状態にしてその先端に取り付けた整備具を一方向に円を描くように移動させた場合、整備具の移動する方向に回転椅子１はロープ１９に引っ張られて自動的に回転していくので、ハンドル付きリール６のハンドル３を回してロープ１９の巻き取り操作をすることによって整備具の移動するコースを制御することが出来るものである。
【０００９】
本発明の請求項２記載のグランド整備補助具（以下、本発明２と言う）は、上記フレーム１６の一箇所にブレーキ用支持軸９を取り付けハンドル付きリール６の軸１５、２５側面板１２又は側面板１２の外周に押し付けて摩擦するブレーキ１８を配設したことを特徴としている。
【００１０】
かかる構成により、図４に示すように本発明２はフレーム１６に軸支させて取り付けたブレーキ１８をハンドル付きリール６の軸１５、２５側面板又は側面板１２の外周に押し付けて摩擦させることによってハンドル付きリール６の回転を制御することが出来るものである。
【００１１】
本発明の請求項３記載のグランド整備補助具（以下、本発明３と言う）は、回転椅子１の座席２の周縁の一箇所から前方上方へ立設した支持棒１１の上方に水平なテーブル１３を設け、そのテーブル１３上にモーター３１の回転軸にリール２９を取り付けたモーター付きリール１０と電源である電池１４を乗せ、必要に応じて上記モーター付きリール１０及び電池１４を覆うケース２１をテーブル１３上に被せ、このケース２１にロープ１９を通すロープガイド７を取り付けるか又はテーブル１３から前方へ延設した固定棒８の先端にロープ１９を通すロープガイド７を取り付け、さらに上記支持棒１１又は座席２から前方斜め下方に延設した棒２０の先端に略水平の足置き４を配設したことを特徴としている。
【００１２】
かかる構成により、図５に示すように本発明３の回転椅子１の座席２に人が座って足置き４に足を乗せ、ロープガイド７で支持されているロープ１９をピンと張った状態にしてこのロープ１９の先端に取り付けた整備具を一方向に円を描くように移動させた場合、整備具の移動する方向に回転椅子１はロープ１９に引っ張られて自動的に回転していくので、ロープ１９が巻かれているリール付きモーター１０を使用してリール２９の巻き取り操作を座席２に座っている人がすることによって、整備具の移動するコースを制御することが出来るものである。
【００１３】
本発明の請求項４記載の電動式グランド整備補助具（以下、本発明４と言う）は、土台２２の上面に立設した支柱２３の上方先端部に固定軸２４を立設させ、この固定軸２４に水平なテーブル１３を回転自在に軸支させ、このテーブル１３上にモーター３１の回転軸にリール２９を取り付けたモーター付きリール１０と電源である電池１４を乗せ、必要に応じて上記モーター付きリール１０及び電池１４を覆うケース２１をテーブル１３上に被せ、このケース２１にロープ１９を通すロープガイド７を取り付けるか又はテーブル１３から前方へ延設した固定棒８の先端にロープ１９を通すロープガイド７を配設したことを特徴としている。
【００１４】
かかる構成により、図６に示すように本発明４はロープガイド７で支持されているロープ１９をピンと張った状態にしてこのロープ１９の先端に取り付けた整備具を一方向に円を描くように移動した場合、整備具の移動する方向にテーブル１３は自動的に回転して行くので、ロープ１９が巻かれているリール付きモーター１０を使用してリール２９の巻き取り操作を無線装置ですることによって、整備具の移動するコースを制御することが出来るものである。
【００１５】
本発明の請求項５記載の電動式グランド整備補助具（以下、本発明５と言う）は、上記テーブル１３上にこのテーブル１３を回転させるモーター２６を取り付け、このモーター２６の軸に取り付けた円形伝動部品２７と上記固定軸２４に取り付けた円形伝動部品２７の間を伝動部品２８でつないで回転自在にして配設したことを特徴としている。
【００１６】
本発明で言う円形伝動部品２８とは歯車、スプロケット、プーリーのことであり、伝動部品２９とはチェーン、タイミングベルト、Vベルトを言う。
【００１７】
かかる構成により、図７に示すように本発明５はロープガイド７で支持されているロープ１９をピンと張った状態にしてこのロープ１９の先端に取り付けた整備具を一方向に円を描くように移動した場合、整備具の移動する方向にテーブル１３をモーター２６に取り付けた動力伝動装置で回転させ、ロープ１９が巻かれているリール６の巻き取り操作をリール付きモーター１０ですることを、無線装置を使用して手動でするか又は全自動装置を使用して整備具の移動するコースを制御することが出来るものである。
【発明の効果】
【００１８】
本発明１の効果として、図１に示すように本発明１の回転椅子１の座席２に座った人が地面の状態を回転しながら見続けてハンドル付きリール６に取り付けたハンドル３でロープ１９の巻き取り操作をすることによって、整備具の移動していくコースをコントロールしながらグランド整備をすることが出来るものである。
【００１９】
本発明２の効果として、図４に示すように本発明２のブレーキ１８をフレーム１６に取り付けてブレーキ１８のコントロールすることによって、ハンドル付きリール６の停止と微妙な巻き取り操作を補助することが出来るものである。
【００２０】
本発明３の効果として、図５に示すように本発明３の回転椅子１の座席２に座った人が地面の状態を回転しながら見続けてリール付きモーター１０でロープ１９の巻き取り操作をすることによって、整備具の移動していくコースをコントロールしながらグランド整備をすることが出来るものである。
【００２１】
本発明４の効果として、図６に示すように本発明４はグランド整備をする場所の外側又は整備具を引っ張っている自動車から無線装置を使用して、ロープ１９の巻き取り操作をテーブル１３上に乗せたリール付きモーター１０ですることによって、整備具の移動していくコースをコントロールしながらグランド整備をすることが出来るものである。
【００２２】
本発明５の効果として、図７に示すように本発明５は無線装置を使用するか又は本発明本体に設けた全自動装置を使用して、テーブル１３の回転とリール２９の巻き取り操作をテーブル１３上に乗せた電動式の動力伝動装置とリール付きモーター１０ですることによって、整備具の移動していくコースをコントロールしながらグランド整備をすることが出来るものである。
【発明を実施するための最良の形態】
【００２３】
支持棒１１から延設した足置き４を取り付け、回転椅子１から立設した支持棒１１に取り付けたフレーム１６に、ブレーキ１８を取り付けたロープ１９巻き取り用のハンドル付きリール６を設けるか又は回転椅子１から立設した支持棒１１に取り付けたテーブル１３上にリール付きモーター１０設けるか又は土台２２の上面に立設した支柱２３の上方先端部に固定軸２４を立設させ、この固定軸２４に回転自在に取り付けたテーブル１３上に電動式の動力伝動装置とリール付きモーター１０を設けることである。
【実施例１】
【００２４】
実施の形態の一例として、図１は本発明１の斜視図を示している。回転椅子１の座席２の周縁の一箇所から前方上方へ立設した支持棒１１の上方に軸５を保持するフレーム１６を取り付け、この軸５に外側に回転させるハンドル３を備えたハンドル付きリール６を回転自在にして設け、上記支持棒１１又は上記フレーム１６から前方へ延設した固定棒８の先端にロープ１９を通すロープガイド７を取り付け、さらに上記支持棒１１又は座席２から前方斜め下方に延設した棒２０の先端に略水平の足置き４を配設したことで構成されている。
【００２５】
実施の形態の一例として、図３に示している本発明１の回転椅子１は、高さ４７ｃｍ座席は４０ｃｍの円形の事務用椅子で、足置き４の長さは２５ｃｍ棒の長さは４０ｃｍの直径２．５ｃｍステンレスのパイプを使用している。ハンドル付きリール６の両側面板１２、１２はステンレス製のもので直径は１７ｃｍ、巻き取り部の直径は１４ｃｍの筒状であり幅は１４ｃｍある。ロープ１９は太さ８ｍｍ長さ２０ｍのものを使用したところ直径４０ｍの円形内の地面を綺麗に平坦にすることが出来た。整備具は出願人の特願２００３−４０２４８１号の長方形の天板の下面に人工芝を取り付けたグランド整備具を使用した。
【００２６】
図１で示しているハンドル付きリール６は巻き取り部が円筒状になっているが、三角柱であっても角柱でも平行な一対の側面板１２、１２の間に等間隔にして横棒を差し渡して設けたものでも良い。固定棒８の先端に取り付けたロープガイド７にはロープ１９を通す貫通穴が設けてあるが、U字型のものでも良く又車輪に溝を設けた滑車を回動自在にして取り付けることによってロープ１９巻き取りの補助をすることが出来る。
【００２７】
ハンドル付きリール６の取り付け法として、図１では支持棒１１の上方に設けたフレーム１６に軸５の一方側を固定させて取り付けてあることを示しているが、実施の形態の一例として、図２ではハンドル付きリール６に取り付けた軸１５を一方側に突き出してこの軸１５を両フレーム１６、１６に設けた軸受け２２、２２に回転自在に軸支していることを示している。さらに実施の形態の一例として、図３ではハンドル付きリール６の両側面板１２、１２から外側に突き出した軸２５を取り付け、支持棒１１の先端部をコ字状にして設けたフレーム１６、１６に軸２５を回転自在に軸支させ、この軸２５の一方側にＬ字形のハンドル１７を取り付ける方法などがあることを示している。上記図１、２、３は支持棒１１とフレーム１６が分かれて示されているが、支持棒１１とフレーム１６を一体にしたものでも良い。
【００２８】
本発明１の使用法は、整備する場所の中心付近に回転椅子１を置いて人が座って足置き４の上に足を乗せ、中心付近から整備をする場合はロープ１９の先端に整備具を取り付け一方向に徐々に移動させる。ロープ１９が弛まないようにハンドル３を逆回転させながら同時にブレーキ１８を弛めて行くと回転椅子１のロープ１９は整備具の進む方向に引っ張られて回転して行くので回転椅子１は中心付近では比較的速く回るが、外側に行くに従って遅く回るようになる。また外側から整備する場合は、ロープ１９をあらかじめ外側まで引っ張り出しておいて整備具を取り付けロープ１９が弛まないようにハンドル３、１７をコントロールしながら徐々にロープ１９を巻いて行くことによって整備をすることが出来る。
【００２９】
回転している回転椅子１から地面の状態を観察して窪んだ場所は速く盛り上がった場所は遅く移動させるように支持しながら整備することによって、簡単に平坦な地面に整備することが出来るものである。整備具を傾斜させて引っ張ることによって外側の土を内側に移動させることも出来る。この方法で整備出来る地面の面積はロープの長さを半径とする円形の範囲内の地面になり、この方法で円と円が重なるようにして整備すれば広い場所も平坦にすることが出来るものである。
【００３０】
実施の形態の一例として、回転椅子１は人の体重を利用して地面に固定しているが、回転椅子１が整備中に動く場合や大型の整備具を取り付けて整備をする場合には、回転椅子１の足の下面に複数本の杭を取り付けるか又は回転椅子１を重く造ることで解決する。ハンドル３、１７の回転数は整備の仕方によって異なってくるが、グランドを周回する数を多くして丁寧にグランド整備をする時はハンドル３、１７の回転数は少なくしてブレーキ１８も併用して遅く回し、短時間で整備する時はハンドル３、１７の回転を速くすれば良い。グランド状況は日々異なる場合があるので、グランド状況に合わせてグランド整備をすることが出来るものである。
【実施例２】
【００３１】
実施の形態の一例として、図４は本発明２の斜視図を示している。上記フレーム１６の一箇所にブレーキ用支持軸９を取り付けハンドル付きリール６の軸１５、２５側面板１２又は側面板１２の外周に押し付けて摩擦するブレーキ１８を配設したことで構成されている。
【００３２】
本発明２の使用法は、ロープ１９の先端に整備具を取り付けてそのロープ１９を張った状態を維持している時に、ハンドル１７は握った状態で止めているが、整備具が突然コース変更をしてロープ１９が引っ張られた時などに、握っているハンドル１７を放してブレーキ１８を押しながらコントロールしてロープ１９の引っ張り状態を正常な状態に戻すことが出来るものである。また整備具を中心から外側に向かって移動させる時にはハンドル１７の使用と平行してブレーキ１８を徐々に開放することによって安定して整備具のコントロールを補助することが出来る。
【００３３】
実施の形態の一例として、フレーム１６に取り付けた支持軸９にブレーキ１８の一方端部を軸支させて、側面板１２の外周を摩擦出来るように取り付け、ブレーキ１８を押さえることによってハンドル付きリール６の回転をコントロールすることが出来る。ブレーキ１８の材質は木、革、ゴム、合成樹脂など摩擦に耐久性のあるものが良い。ハンドル付きリール６の側面板１２に横方向から押し付けるようにフレーム１６に軸支させてブレーキ１８を使用することも出来る。また軸１５、２５に取り付けた摩擦板を自転車のブレーキのように締め付けるようにして取り付けることも出来る。
【実施例３】
【００３４】
実施の形態の一例として、図５は本発明３の斜視図を示している。回転椅子１の座席２の周縁の一箇所から前方上方へ立設した支持棒１１の上方に水平なテーブル１３を設け、そのテーブル１３上にモーター３１の回転軸にリール２９を取り付けたモーター付きリール１０と電源である電池１４を乗せ、必要に応じて上記モーター付きリール１０及び電池１４を覆うケース２１をテーブル１３上に被せ、このケース２１にロープ１９を通すロープガイド７を取り付けるか又はテーブル１３から前方へ延設した固定棒８の先端にロープ１９を通すロープガイド７を取り付け、さらに上記支持棒１１又は座席２から前方斜め下方に延設した棒２０の先端に略水平の足置き４を配設したことで構成されている。
【００３５】
本発明３の使用法は、回転椅子１の座席２に人が座って足置き４に足を乗せ、ロープ１９の先端に整備具を取り付けた後、そのロープ１９が張られた状態のまま整備具を移動させた場合、テーブル１３は回動自在に取り付けてあるので、ロープガイド７に支持されているロープ１９はリール付きモーター１０を乗せたテーブル１３を整備具の移動する方向に回転させ座席２に座っている人はリール付きモーター１０の正転、逆転、停止の操作をすることによって整備具との距離をコントロールすることが出来るものである。
【００３６】
本発明３はリール付きモーター１０の機能としてはクラッチ、ブレーキ付きのスピードコントロールの可能なタイプのものを使用することで整備具の動きによるロープ１９の張り具合を調整することが出来る。回転数をカウント出来るものを取り付ければその時の整備の回数を知ることも出来る。またロープ１９を一定の弛み状態の範囲にセンサーで感知させてコントロールする方法を取ることも出来る。
【実施例４】
【００３７】
実施の形態の一例として、図６は本発明４の斜視図を示している。土台２２の上面に立設した支柱２３の上方先端部に固定軸２４を立設させ、この固定軸２４に水平なテーブル１３を回転自在に軸支させ、このテーブル１３上にモーター３１の回転軸にリール２９を取り付けたモーター付きリール１０と電源である電池１４を乗せ、必要に応じて上記モーター付きリール１０及び電池１４を覆うケース２１をテーブル１３上に被せ、このケース２１にロープ１９を通すロープガイド７を取り付けるか又はテーブル１３から前方へ延設した固定棒８の先端にロープ１９を通すロープガイド７を配設したことで構成されている。
【００３８】
実施の形態の一例として本発明４の使用法は人が本発明４の近くにいる必要がないので、無線による遠隔操作をすることが出来る。ロープ１９を一定の弛み状態に維持出来るセンサーを取り付けて自動的に巻き取ることも合わせてリール付きモーター１０をプログラムすることによって制御することも出来る。テーブル１３の回転については整備具との距離をコントロールしてロープ１９を張った状態を維持出来るようにすれば自動的に整備具の移動する方向に回転して行くことが出来るものである。
【実施例５】
【００３９】
実施の形態の一例として、図７は本発明５の斜視図を示している。図１は本発明１の上記テーブル１３上にこのテーブル１３を回転させるモーター２６を取り付け、このモーター２６の軸に取り付けた円形伝動部品２７と上記固定軸２４に取り付けた円形伝動部品２７の間を伝動部品２８でつないで回転自在にして配設したことで構成されている。
【００４０】
実施の形態の一例として、図７で示しているのは固定軸２４にプーリーを取り付けテーブル１３に固定して設けたプーリーを取り付けたモーター２６とタイミングベルトによってテーブル１３が回転するようになっている。この他には歯車と歯車、スプロケットとチェーンを伝動装置として使用することも出来る。
【００４１】
リール付きモーター１０とプーリーを取り付けたモーター２６の操作方法としては、無線による遠隔操作をすることが出来る。テーブル１３の前方斜め下方または斜め上方へ延設した固定棒８の先端に取り付けたロープガイド７にセンサーを取り付けロープ１９が横方向に動いてセンサーに触れることによって整備具のある方向にロープガイド７が常時向くようにする。リール付きモーター１０をロープ１９が一定の弛み状態の範囲にセンサーで感知しながら巻き取るようにして、巻き取っていく時間又は巻き取る回数をプログラムして動かせるようにすれば、全自動で整備具をコントロールすることも出来る。
【図面の簡単な説明】
【００４２】
【図１】本発明１の実施の形態の一例を示す斜視図である。
【図２】本発明１の実施の形態の他の一例を示す斜視図である。
【図３】本発明１の実施の形態の他の一例を示す斜視図である。
【図４】本発明２の実施の形態の一例を示す斜視図である。
【図５】本発明３の実施の形態の一例を示す斜視図である。
【図６】本発明４の実施の形態の一例を示す斜視図である。
【図７】本発明５の実施の形態の一例を示す斜視図である。
【符号の説明】
【００４３】
１    回転椅子
２    座席
３    ハンドル
４    足置き
５    軸
６    ハンドル付きリール
７    ロープガイド
８    固定棒
９    支持軸
１０    モーター付きリール
１１    支持棒
１２    側面板
１３    テーブル
１４    電池
１５    軸
１６    フレーム
１７    Ｌ字形ハンドル
１８    ブレーキ
１９    ロープ
２０    棒
２１    ケース
２２    土台
２３    支柱
２４    固定軸  
２５    軸
２６    モーター
２７    円形伝動部品
２８    伝動部品
２９    リール
３０    軸受け
３１    モーター
【要約】
【課題】
人が整備具を引っ張るか或いは自転車、バイク、自動車に取り付けた整備具でグランド整備をする場合に、整備をする場所の中心地点から人の目線で整備具の動きと地面の状態を同時に見ながら水平状態の判断をして、簡単に平坦な地面に整備することを課題としたものである。
【解決手段】
回転椅子１の座席２の周縁の一箇所から前方上方へ立設した支持棒１１の上方に軸５を保持するフレーム１６を取り付け、この軸５に外側に回転させるハンドル３を備えたリール６を回転自在にして設け、上記支持棒１１又は上記フレーム１６から前方へ延設した固定棒先端にロープ１９を通すロープガイド７を取り付け、さらに上記支持棒１１又は座席２から前方斜め下方に延設した棒２０の先端に略水平の足置き４を配設したことである。
【選択図】  図１
【図１】
0003601008.tif 000002
【図２】
0003601008.tif 000003
【図３】
0003601008.tif 000004
【図４】
0003601008.tif 000005
【図５】
0003601008.tif 000006
【図６】
0003601008.tif 000007
【図７】
0003601008.tif 000008